(57)【特許請求の範囲】
【請求項１】
熱交換器を含む暖房機構部が収容された本体ケースと、前記本体ケースの開放された前面側を覆うフロントカバーとを備え、
浴室の壁面に固定された取付板の係止爪を、前記本体ケースの背面上部に形成された差込穴に差し込むようにして引っかけた状態で浴室の壁面に据付固定され、
前記熱交換器に接続される接続チューブを、前記本体ケースの背面に形成された引出穴及び浴室の壁面に形成された貫通穴から外部へ引き出すようになっている浴室暖房機において、
前記本体ケースは、その背面側に、前記引出穴から引き出された接続チューブを前記貫通穴まで導くためのチューブ収容凹部を有しており、
前記本体ケースの底面には、前記チューブ収容凹部を開放する切欠部が形成されていると共に、その切欠部を隠蔽するケース底部材が着脱自在に装着されており、
前記フロントカバーは、前記本体ケースの下端部にビス止めされるようになっており、
前記ケース底部材は、前記本体ケースに装着した状態で、前記本体ケースに対する前記フロントカバーのビス止め部を隠蔽するようになっていることを特徴とする浴室暖房機。
【請求項２】
前記本体ケースは、前記フロントカバーを取り付けた状態で、その下端部が前記取付板の下端部から前方側に張り出した固定片にビス止めされるようになっており、前記ケース底部材は、前記本体ケースに装着した状態で、前記取付板に対する前記本体ケースのビス止め部を隠蔽するようになっている請求項１に記載の浴室暖房機。
【発明の詳細な説明】
【０００１】
【発明の属する技術分野】
この発明は、温水暖房熱源機から供給される温水の熱を利用して浴室内に温風を吹き出すことによって浴室内の暖房を行う浴室暖房機、特に、施工性に優れた浴室暖房機に関する。
【０００２】
【従来の技術】
この種の温水式の浴室暖房乾燥機は、図１５（ａ）、（ｂ）及び図１６（ａ）、（ｂ）に示すように、温水と空気との間で熱交換を行う熱交換器５２や、浴室内から吸い込んだ空気を熱交換器５２を通して浴室内に送風する循環ファン５３等からなる暖房機構部が収容される、前面側が開放された本体ケース５１と、この本体ケース５１の開放された前面側を覆うように、本体ケース５１の下端部にビス止めされるフロントカバー５４とを備えており、本体ケース５１内に収容された熱交換器５２には、屋外に設置される温水暖房熱源機から温水パイプ及び接続チューブＨＣを介して温水が供給されるようになっている。
【０００３】
前記接続チューブＨＣや浴室暖房乾燥機５０の電源線等の電線類ＥＷは、図１６（ａ）に示すように、本体ケース５１の背面に形成された引出穴５１ａから機外に引き出された後、浴室の壁面における浴室暖房乾燥機５０の取付領域内において、本体ケース５１の引出穴５１ａに対応する位置に形成された換気穴等の貫通穴を通して屋外に引き出されるようになっている。
【０００４】
こういった浴室暖房乾燥機５０を浴室内に設置するには、まず、図１７（ａ）に示すように、浴室の壁面における浴室暖房乾燥機５０の取付領域ＥＡ内の所定位置に換気穴等の貫通穴ＴＨを形成した後、その取付領域内の所定位置に取付板６０をビス止めし、この取付板６０に浴室暖房乾燥機５０を据付固定することで、同図（ｂ）に示すように、浴室暖房乾燥機５０を浴室の壁面に取り付ける。
【０００５】
この取付板６０は、同図（ａ）に示すように、浴室の壁面にビス止めするための複数のビス孔６１ａが所定位置に形成された基板６１と、この基板６１の上端から僅かに前方側に張り出すようにして上方に突出した左右一対の係止爪６２と、基板６１の下端から前方側に張り出した、ねじ孔６３ａが形成された固定片６３とを備えており、浴室の壁面に固定された取付板６０の係止爪６２を、浴室暖房乾燥機５０の本体ケース５１の背面上部に形成された差込穴に差し込むことによって引っかけた状態で、固定片６３を本体ケース５１の下端部にビス止めすると、浴室暖房乾燥機５０が取付板６０に据付固定されるようになっている。
【０００６】
続いて、フロントカバー５４の固定ビスを外してフロントカバー５４を本体ケース５１から取り外すことによって、本体ケース５１に収容された暖房機構部を露出させた状態で、図１６（ａ）、（ｂ）に示すように、接続チューブＨＣを熱交換器５２の温水コイルに接続すると共に、この接続チューブＨＣを浴室暖房乾燥機５０の電源線等の電線類ＥＷと共に本体ケース５１の背面に形成された引出穴５１ａ及びその引出穴５１ａに対応する位置に形成されている貫通穴ＴＨを通して屋外に引き出した後、図１５（ａ）、（ｂ）に示すように、フロントカバー５４を本体ケース５１に再びビス止めすると、浴室内における浴室暖房乾燥機５０の設置が完了する。
【０００７】
【発明が解決しようとする課題】
ところで、接続チューブＨＣや電線類ＥＷを屋外に引き出すための貫通穴ＴＨは、浴室内や屋外の状況等によっては、必ずしも、浴室暖房乾燥機の取付領域ＥＡにおける本体ケース５１の引出穴５１ａに対応する位置に形成することができるとは限らない。
【０００８】
また、換気ギャラリ等の換気口が既に浴室の壁面に形成されている場合は、新たに貫通穴を形成することなく、そういった既設の換気口を利用して、接続チューブＨＣや電線類ＥＷを屋外に引き出すことが望まれているが、既設の換気口等を利用しようとする場合、その換気口の形成位置によっては、必ずしも、その換気口が本体ケース５１の背面に形成された引出穴５１ａに対応する位置にくるように、浴室暖房乾燥機５０の取付位置を設定することができるとは限らず、既設の換気口が本体ケース５１の背面に形成された引出穴５１ａから完全にずれてしまうような場合がある。
【０００９】
このように、浴室の壁面に形成される貫通穴ＴＨが本体ケース５１の引出穴５１ａから完全にずれてしまった場合は、温水コイルに接続された接続チューブＨＣや電線類ＥＷを、取付板６０を介して浴室壁面に据付固定された浴室暖房乾燥機５０の前面側から、浴室壁面に形成された貫通穴ＴＨに通すことができず、浴室暖房乾燥機５０を短時間で効率よく、浴室内に設置することができないという問題があった。
【００１０】
そこで、この発明の課題は、浴室の壁面に形成される貫通穴と本体ケースに形成された引出穴とが完全にずれてしまったような場合でも、接続チューブや電線類を短時間で効率よく屋外へ引き出すことができる浴室暖房機を提供することにある。
【００１１】
【課題を解決するための手段及びその効果】
上記の課題を解決するため、請求項１に係る発明は、熱交換器を含む暖房機構部が収容された本体ケースと、前記本体ケースの開放された前面側を覆うフロントカバーとを備え、浴室の壁面に固定された取付板の係止爪を、前記本体ケースの背面上部に形成された差込穴に差し込むようにして引っかけた状態で浴室の壁面に据付固定され、前記熱交換器に接続される接続チューブを、前記本体ケースの背面に形成された引出穴及び浴室の壁面に形成された貫通穴から外部へ引き出すようになっている浴室暖房機において、前記本体ケースは、その背面側に、前記引出穴から引き出された接続チューブを前記貫通穴まで導くためのチューブ収容凹部を有しており、前記本体ケースの底面には、前記チューブ収容凹部を開放する切欠部が形成されていると共に、その切欠部を隠蔽するケース底部材が着脱自在に装着されており、前記フロントカバーは、前記本体ケースの下端部にビス止めされるようになっており、前記ケース底部材は、前記本体ケースに装着した状態で、前記本体ケースに対する前記フロントカバーのビス止め部を隠蔽するようになっていることを特徴とする浴室暖房機を提供するものである。
【００１３】
特に、この浴室暖房機は、本体ケースの底面に切欠部が形成されていると共に、その切欠部を隠蔽するケース底部材が着脱自在に装着されているので、浴室暖房機の下部を手前側に引き寄せる際、ケース底部材を取り外しておくと、本体ケースの底面に形成された切欠部によって、本体ケースの背面側に形成されたチューブ収容凹部が下方側に開放されることになる。これによって、浴室暖房機の下部を手前側に少し引き寄せるだけで十分な作業スペースが確保され、接続チューブや電線類の屋外への引出作業を効率よく行うことができる。
【００１４】
また、この浴室暖房機では、フロントカバーが、本体ケースの下端部にビス止めされるようになっており、ケース底部材は、本体ケースに装着した状態で、本体ケースに対するフロントカバーのビス止め部を隠蔽するようになっているので、本体ケースに対するフロントカバーのビス止め部を隠蔽するためのビスカバーを別途設ける必要がなく、部品点数を減らすことができるので、製品コストの削減を図ることができる。
【００１５】
また、請求項２に係る発明の浴室暖房機のように、前記本体ケースは、前記フロントカバーを取り付けた状態で、その下端部が前記取付板の下端部から前方側に張り出した固定片にビス止めされるようになっており、前記ケース底部材は、前記本体ケースに装着した状態で、前記取付板に対する前記本体ケースのビス止め部を隠蔽するようになっているものにあっては、ケース底部材を本体ケースから取り外した状態で、接続チューブや電線類の屋外への引き出しと、取付板の固定片に対する本体ケースのビス止めとを行った後、ケース底部材を本体ケースに装着することによって、本体ケースに対するフロントカバーのビス止め部と、取付板に対する本体ケースのビス止め部との双方を同時に隠蔽することができるので、取付板に対する本体ケースのビス止め部を隠蔽するビスカバーを別途設ける必要がなく、さらに、製品コストの削減を図ることができる。
【００１６】
【発明の実施の形態】
以下、実施の形態について図面を参照して説明する。この浴室暖房乾燥機１は、図１（ａ）〜（ｃ）及び図２に示すように、取付板を介して浴室の壁面に取り付けられる、前面が開放された本体ケース１１と、この本体ケース１１の前面側を覆うフロントカバー１７とを備えており、前記本体ケース１１内には、図２に示すように、屋外に設置される温水暖房熱源機から温水パイプ及び接続チューブＨＣ（図６参照）を介して供給される温水と空気との間で熱交換を行う熱交換器１３と、この熱交換器１３の背面側に設置された循環ファン１４と、この循環ファン１４を駆動させるファン駆動モータ１５と、熱交換器１３の下側に形成される温風吹出口に配設された風向調整用のルーバー１６とが設けられている。
【００１７】
前記本体ケース１１内には、換気ファンは搭載されておらず、屋外に別途設置される換気ファンユニットによって、浴室壁面における浴室暖房乾燥機１の取付領域内に形成された換気穴を通して浴室内の湿度の高い空気が屋外に排気されるようになっており、本体ケース１１の背面には、図２に示すように、熱交換器１３の温水コイルと温水暖房熱源機に接続された温水パイプとを相互に接続するための接続チューブＨＣ（図６参照）及び浴室暖房乾燥機１の電源線等の電線類ＥＷを機外に引き出すための引出穴１１ａが形成されている。
【００１８】
また、本体ケース１１は、図３に示すように、その背面側に、本体ケース１１に形成された引出穴１１ａと換気穴とが完全にずれている場合に、引出穴１１ａから機外に引き出された接続チューブＨＣ（図６参照）を換気穴まで導くためのチューブ収容凹部１１ｂを有しており、本体ケース１１の背面上部には、後述する取付板の係止爪を差し込むための差込穴１１ｃが形成されている。
【００１９】
また、本体ケース１１の底面には、図４（ａ）に示すように、温風吹出口に対応して背面側を部分的に開放する切欠部１１ｄが形成されており、その切欠部１１ｄを隠蔽するケース底部材１２が着脱自在に取り付けられている（図１（ｃ）参照）。このケース底部材１２は、図５（ａ）〜（ｃ）に示すように、切欠部１１ｄを覆う底面板１２ａの前端から、湾曲した正面板１２ｂが立ち上がっており、底面板１２ａの両端部及び中央部に形成された左右一対の突起１２ｃ、１２ｄを本体ケース１１の底面に形成された係合穴１１ｅ、１１ｆにそれぞれ係合させることによって、本体ケース１１に保持されるようになっている。なお、このケース底部材１２を本体ケース１１に取り付けた状態では、後述する本体ケース１１に対するフロントカバー１７のビス止め部α及び取付板に対する本体ケース１１のビス止め部β（図４（ｂ）参照）が正面板１２ｂによって隠蔽されるようになっている（図１３参照）。
【００２０】
前記フロントカバー１７は、図１（ａ）〜（ｃ）及び図６（ａ）、（ｂ）に示すように、本体ケース１１の下端部にビス止めされるカバー本体１８と、このカバー本体１８の前面を覆うフロントグリル部１９とを有しており、フロントグリル部１９は、カバー本体１８の前面を開放することができるように、アーム１９ａを介してカバー本体１８の上部側に開閉可能に支持されている。なお、フロントグリル部１９を開いた状態では、アーム１９ａに形成された係止突起（図示せず）が、カバー本体１８に形成された係止部（図示せず）に係合することによって、その状態に保持されるようになっている。
【００２１】
前記カバー本体１８には、フロントグリル部１９を閉じたときに隠蔽される部分に、熱交換器１３の前面側を開放する複数の空気吸込用開口１８ａが形成されていると共に、フロントグリル部１９を開いたときに、熱交換器１３の側方に配置された、接続チューブＨＣの接続作業等の種々の作業を行うための作業スペースを前面側に開放する作業用開口１８ｂが形成されている。
【００２２】
この浴室暖房乾燥機１を浴室の壁面に取り付けるための取付板は、図７（ａ）、（ｂ）に示すように、浴室の壁面にビス止めされる基板３１と、この基板３１の上端から僅かに前方側に張り出すようにして上方に突出した左右一対の係止爪３２と、基板３１の下端から前方側に張り出したネジ孔３３ａを有する固定片３３とを備えており、図８に示すように、浴室の壁面に固定された取付板３０の係止爪３２を、浴室暖房乾燥機１の本体ケース１１の背面上部に形成された差込穴１１ｃに差し込んだ状態で、固定片３３を本体ケース１１の下端部にビス止めすることによって、浴室暖房乾燥機１の背面と浴室の壁面との間に数ｍｍ程度の隙間Ｓが形成された状態で、浴室暖房乾燥機１が浴室の壁面に取り付けられるようになっている。なお、このようにして、浴室暖房乾燥機１と浴室の壁面との間に形成された隙間Ｓから浴室内の空気が吸い込まれ、浴室壁面における浴室暖房乾燥機１の取付領域内に形成された換気穴を通して屋外に排気される。
【００２３】
前記基板３１は、浴室暖房乾燥機１の幅の約１／３強の幅を有しており、その中央部には、浴室の壁面に形成される換気穴の口径よりも大きい開口３１ａが形成されている。また、この取付板３０は、図９に示すように、浴室暖房乾燥機１の幅方向の中央部、即ち、浴室の壁面における浴室暖房乾燥機１の取付領域ＥＡの中央部に固定設置されるようになっており、浴室暖房乾燥機１の取付領域ＥＡ内には、同図に斜線で示すように、基板３１に形成された開口３１ａ内及び取付板３０を挟んでその左右両側に換気穴の形成領域が確保されるようになっている。
【００２４】
前記基板３１には、図７（ａ）に示すように、その四隅に、浴室の壁面にビス止めするための複数のビス孔３１ｂが形成されており、各ビス孔３１ｂは全て縦長に形成されている。従って、この取付板３０を浴室の壁面にビス止めする際、そのビス止め位置が多少ずれても、縦長に形成されたビス孔３１ｂの範囲内で取付板３０を適宜上下方向にずらすことによって、取付板３０を浴室の壁面に水平に固定することができる。
【００２５】
以上のように構成された浴室暖房乾燥機１を、取付板３０を用いて浴室内に設置する方法について、以下に説明する。まず、屋外の状況及び浴室内の状況を確認して、図１０に示すように、浴室の壁面における浴室暖房乾燥機１の取付領域ＥＡを決定した後、その決定された浴室暖房乾燥機１の取付領域ＥＡ内に換気穴ＥＨを形成する。その形成位置は、同図に実線で示すように、浴室暖房乾燥機１の本体ケース１１の背面に形成された引出穴１１ａに対応した正規の位置、即ち、浴室の壁面に固定する取付板３０の右下側に形成するのが最も好ましいが、屋外の状況等によって正規の位置に換気穴ＥＨを形成することができないときは、同図に二点差線で示すように、正規の位置の上方または取付板３０に形成された開口３１ａ内や取付板３０の左側に形成すればよい。
【００２６】
このようにして浴室の壁面に換気穴ＥＨを形成すると、この換気穴ＥＨに換気パイプを挿通固定することになるが、その際は、図１１（ａ）に示すように、換気パイプＥＰの浴室側の端部を、鍔部２２を有するゴムブッシュ２１に差し込んだ状態でアルミニウムテープＡＴを巻き付けることによって両者を固定し、ゴムブッシュ２１の鍔部２２の内面側の基端部全周にシール材ＳＭを塗布した状態で、同図（ｂ）に示すように、換気穴ＥＨに挿通固定することによって、浴室の壁面における換気穴ＥＨの周縁部分とゴムブッシュ２１の鍔部２２とをシールする。これによって、浴室内の湿度の高い空気を屋外に排気する際、その空気の換気穴ＥＨから外壁内への侵入が防止される。
【００２７】
続いて、図１２に示すように、基板３１部分を浴室の壁面にビス止めすることによって、浴室暖房乾燥機１の取付領域ＥＡ内の所定位置（幅方向の中央部）に取付板３０を固定した後、この取付板３０を介して浴室暖房乾燥機１を浴室の壁面に取り付けることになるが、以下の作業については、換気穴ＥＨが正規の位置に形成されている場合と、それ以外の位置に形成されている場合とに分けて説明する。なお、図１２では、正規の位置に換気穴ＥＨが形成された状態を示している。
【００２８】
まず、換気穴ＥＨが正規の位置に形成されている場合は、ケース底部材１２を取り外した状態で、取付板３０の係止爪３２を浴室暖房乾燥機１の本体ケース１１の背面上部に形成された差込穴１１ｃに差し込むことによって、浴室暖房乾燥機１を取付板３０の係止爪３２に引っかけた状態で、取付板３０の固定片３３に本体ケース１１の下端部をビス止めすることによって、浴室暖房乾燥機１を取付板３０に完全に固定した後、ケース底部材１２を本体ケース１１に取り付けることによって、そのビス止め部及び本体ケース１１に対するフロントカバー１７のビス止め部を隠蔽する（図１３参照）。なお、この状態では、図１３に示すように、換気パイプＥＰに取り付けられたゴムブッシュ２１の鍔部２２に形成された突起２３が本体ケース１１の背面に当接しているので、浴室の壁面にシールされているゴムブッシュ２１の鍔部２２が浴室の壁面から離反することがなく、シール切れの発生が確実に阻止されるようになっている。
【００２９】
その後、図６に示すように、フロントカバー１７のフロントグリル部１９を開くことによって作業スペースを開放し、本体カバー１８に形成された作業用開口１８ｂ内で、接続チューブＨＣを熱交換器１３の温水コイルに接続すると共に、この接続チューブＨＣを電源線等の電線類ＥＷと共に本体ケース１１の背面に形成された引出穴１１ａ及びその引出穴１１ａに対応する正規の位置に端部が開放されている換気パイプＥＰを通して屋外に引き出した後、フロントグリル部１９を閉じると、浴室暖房乾燥機１の浴室壁面への取付が完了する。
【００３０】
一方、換気穴ＥＨが正規の位置に形成されていないために、換気穴ＥＨと引出穴１１ａとが完全にずれている場合は、浴室暖房乾燥機１を取付板３０に取り付ける前に、フロントカバー１７のフロントグリル部１９を開くことによって作業スペースを開放し、本体カバー１８に形成された作業用開口１８ｂ内で、接続チューブＨＣを熱交換器１３の温水コイルに接続すると共に、この接続チューブＨＣを電源線等の電線類ＥＷと共に本体ケース１１の背面に形成された引出穴１１ａから引き出した後、フロントグリル部１９を閉じる。
【００３１】
続いて、このようにして、接続チューブＨＣと電線類ＥＷとが機外（背面側）に引き出された浴室暖房乾燥機１を、上述したように、浴室の壁面に固定された取付板３０の係止爪３２に引っかけた後、図１４（ａ）、（ｂ）に示すように、ケース底部材１２を取り外し、浴室暖房乾燥機１の下部を手前側に引き寄せて浴室の壁面との間にある程度のスペースを確保した状態で、本体ケース１１の背面側に引き出された接続チューブＨＣと電線類ＥＷとをチューブ収容凹部１１ｂ内において本体ケース１１の背面に沿わせながら、換気穴ＥＨの形成位置まで導き、換気パイプＥＰ内を通して外部に引き出す。
【００３２】
最後に、取付板３０の固定片３３に本体ケース１１の下端部をビス止めした後、ケース底部材１２を本体ケース１１に装着することによって、本体ケース１１の底面に形成された切欠部１１ｂと、本体ケース１１に対するフロントカバー１７のビス止め部α及び取付板３０に対する本体ケース１１のビス止め部βとを隠蔽すると、浴室暖房乾燥機１の浴室壁面への取付が完了する。
【００３３】
また、新たに換気穴を形成することなく、浴室の壁面に形成された既設の換気口を利用する場合は、取付板３０に形成された開口３１ａ内または取付板３０を挟んでその左右両側のいずれかの領域内に既設の換気口が位置するように浴室暖房乾燥機１の取付位置を決定し、その換気口に対して所定の処理を施した後、上述したような方法により、取付板３０を用いて浴室暖房乾燥機１を浴室の壁面に取り付ける。なお、既設の換気口を利用する場合も、接続チューブＨＣ及び電線類ＥＷの引出作業性を考慮すると、できるだけ換気穴の正規の形成領域付近に既設の換気口が位置するように、浴室暖房乾燥機１の取付位置を設定しておくことが望ましい。
【００３４】
以上のように、この浴室暖房乾燥機１は、本体ケース１１の底面に切欠部１１ｄが形成されていると共に、その切欠部１１ｄを隠蔽するケース底部材１２が着脱自在に装着されているので、浴室の壁面に形成された換気穴ＥＨと本体ケース１１の引出穴１１ａとが完全にずれている場合、引出穴１１ａから機外に引き出された接続チューブＨＣや電線類ＥＷを換気穴ＥＨに導くための作業スペースを確保するために浴室暖房乾燥機１の下部を手前側に引き寄せる際、ケース底部材を取り外しておくことで、浴室暖房乾燥機１の本体ケース１１の底面に形成された切欠部１１ｄによって、チューブ収容凹部１１ｂが下方側に開放されるので、浴室暖房乾燥機１の下部を手前側に少し引き寄せるだけで十分な作業スペースが確保され、接続チューブＨＣや電線類ＥＷの引出作業を効率よく行うことができる。
【００３５】
また、この浴室暖房乾燥機１は、フロントカバー１７（カバー本体１８）を本体ケース１１の下端部にビス止めすると共に、フロントカバー１７をビス止めした本体ケース１１の下端部を、取付板３０の固定片３３にビス止めするようになっているので、こういったビス止め部α、βを隠蔽しなければならないが、本体ケース１１の底面に形成された切欠部１１ｄを隠蔽するためのケース底部材１２を本体ケース１１に装着することによって、本体ケース１１に対するフロントカバー１７のビス止め部α及び取付板３０に対する本体ケース１１のビス止め部βが同時に隠蔽されるようになっているので、本体ケース１１に対するフロントカバー１７のビス止め部α等を隠蔽するためのビスカバーを別途設ける必要がない。従って、部品点数が減少し、製品コストの削減を図ることができると共に、ケース底部材１２自体が比較的大きな部材となるので、ビス止め部分を個別に隠蔽する小さなビスカバーを使用している従来の浴室暖房乾燥機のように、浴室暖房乾燥機を浴室に設置する際に、ビスカバーを紛失するおそれもない。
【００３６】
なお、上述した実施形態では、屋外に換気ファンユニットを別途設置するタイプの浴室暖房乾燥機について説明したが、これに限定されるものではなく、本体ケース内に換気ファンが搭載される浴室暖房乾燥機や換気機能を備えていない浴室暖房乾燥機についても本発明を適用することができることはいうまでもない。
【００３７】
また、上述した実施形態では、浴室内に設置する際、フロントカバー１７を本体ケース１１から取り外さなくてもよいように、作業用開口１８ｂが形成されたカバー本体１８と、このカバー本体１８の前面を覆う開閉可能なフロントグリル部１９とを有するフロントカバー１７を使用しているが、これに限定されるものではなく、本発明は、フロントカバーを取り外した状態で浴室の壁面に取り付ける、従来タイプの浴室暖房乾燥機にも適用することができることはいうまでもない。
【図面の簡単な説明】
【図１】（ａ）はこの発明にかかる浴室暖房機の一実施形態である浴室暖房乾燥機を示す正面図、（ｂ）は同上の浴室暖房乾燥機を示す側面図、（ｃ）は同上の浴室暖房乾燥機を示す底面図である。
【図２】同上の浴室暖房乾燥機におけるフロントカバーを取り外した状態を示す正面図である。
【図３】同上の浴室暖房乾燥機を示す断面図である。
【図４】（ａ）は同上の浴室暖房乾燥機におけるケース底部材を取り外した状態を示す底面図、（ｂ）はその正面図である。
【図５】（ａ）は同上のケース底部材を示す正面図、（ｂ）は同上のケース底部材を示す底面図、（ｃ）は同上のケース底部材を示す側面図である。
【図６】（ａ）は同上の浴室暖房乾燥機におけるフロントグリル部を開いた状態を示す正面図、（ｂ）はその状態を示す側面図である。
【図７】（ａ）は同上の浴室暖房乾燥機の取付板を示す正面図、（ｂ）は同上の取付板を示す側面図である。
【図８】同上の浴室暖房乾燥機を同上の取付板を用いて浴室の壁面に取り付けた状態を示す側面図である。
【図９】同上の浴室暖房乾燥機の取付領域内における同上の取付板の固定位置を示す概略図である。
【図１０】同上の取付板を用いた同上の浴室暖房乾燥機の取付作業を示す工程図である。
【図１１】（ａ）、（ｂ）は  同上の取付板を用いた同上の浴室暖房乾燥機の取付作業を示す工程図である。
【図１２】同上の取付板を用いた同上の浴室暖房乾燥機の取付作業を示す工程図である。
【図１３】同上の取付板を用いた同上の浴室暖房乾燥機の取付作業を示す工程図である。
【図１４】（ａ）、（ｂ）は正規の位置に換気穴が形成されていない場合における同上の取付板を用いた同上の浴室暖房乾燥機の取付作業を示す工程図である。
【図１５】（ａ）は従来の浴室暖房乾燥機を示す正面図、（ｂ）は同上の浴室暖房乾燥機を示す側面図である。
【図１６】（ａ）は同上の浴室暖房乾燥機におけるフロントカバーを取り外した状態を示す正面図、（ｂ）はその状態を示す側面図である。
【図１７】（ａ）、（ｂ）は同上の取付板を用いた同上の浴室暖房乾燥機の取付作業を示す工程図である。
【符号の説明】
１  浴室暖房乾燥機（浴室暖房機）
１１  本体ケース
１１ａ  引出穴
１１ｂ  チューブ収容凹部
１１ｃ  差込穴
１１ｄ  切欠部
１２  ケース底部材
１２ａ  底面板
１２ｂ  正面板
１７  フロントカバー
１８  カバー本体
１９  フロントグリル部
２１  ゴムブッシュ
３０  取付板
ＥＡ  浴室暖房乾燥機の取付領域
ＥＨ  換気穴（貫通穴）
ＥＰ  換気パイプ
ＥＷ  電線類
ＨＣ  接続チューブ
α、β  ビス止め部
【図１】
0003719160.tif 000002
【図２】
0003719160.tif 000003
【図３】
0003719160.tif 000004
【図４】
0003719160.tif 000005
【図５】
0003719160.tif 000006
【図６】
0003719160.tif 000007
【図７】
0003719160.tif 000008
【図８】
0003719160.tif 000009
【図９】
0003719160.tif 000010
【図１０】
0003719160.tif 000011
【図１１】
0003719160.tif 000012
【図１２】
0003719160.tif 000013
【図１３】
0003719160.tif 000014
【図１４】
0003719160.tif 000015
【図１５】
0003719160.tif 000016
【図１６】
0003719160.tif 000017
【図１７】
0003719160.tif 000018